(57)【要約】      （修正有）【課題】より快適性の高い優れたロールスクリーン、及び遮蔽材の開閉を可能とする遮蔽装置用のサイドカバーを提供する。【解決手段】本発明のサイドカバーは、ロールスクリーン等の遮蔽装置に対し固定係合し、或いは回動又はスライド移動可能に係合して支持させる。本発明のロールスクリーンは、スクリーンを巻き取り、或いは巻き戻し可能とする巻取パイプを支持する支持部材２ａと、各支持部材２ａを覆うサイドカバー１０とを備え、サイドカバー１０の前後幅が、支持部材２ａの前後幅より大きいものとする。【選択図】図８
2018150693.tif 000002
【特許請求の範囲】
【請求項１】
スクリーンを昇降可能とするロールスクリーンであって、
前記スクリーンを巻き取り、或いは巻き戻し可能とする巻取パイプを支持する支持部材と、前記支持部材を覆うサイドカバーと、を備え、
前記サイドカバーの前後幅が、支持部材の前後幅より大きいことを特徴とするロールスクリーン。
【請求項２】
スクリーンを昇降可能とするロールスクリーンであって、
前記スクリーンを巻き取り、或いは巻き戻し可能とする巻取パイプを支持する支持部材と、前記支持部材を覆うサイドカバーと、を備え、
前記サイドカバーは、天井面及び壁面に対し非衝突とする範囲で回動又はスライド移動可能に前記支持部材に支持されていることを特徴とするロールスクリーン。
【請求項３】
前記サイドカバーが、前記支持部材の後縁部より突出させて、前記ロールスクリーンの後方と壁面との隙間を少なくとも部分的に覆うことが可能な形状を有することを特徴とする、請求項１又は２に記載のロールスクリーン。
【請求項４】
前記ロールスクリーンの正面にて固定又は可動に設置されるフィンを備え、
前記サイドカバーが、当該固定又は所定の可動範囲にあるフィンの側端部を覆う形状を有することを特徴とする、請求項１から３のいずれか一項に記載のロールスクリーン。
【請求項５】
前記フィンは、前記支持部材の範囲外となる前記巻取パイプの前方に位置するよう構成され、
前記サイドカバーは、前記巻取パイプと前記所定の支持部材との間の隙間を防止可能に構成されていることを特徴とする、請求項４に記載のロールスクリーン。
【請求項６】
スクリーンを昇降可能とするロールスクリーンであって、
当該ロールスクリーンの正面に載置されるフィンと、
前記スクリーンを巻き取り、或いは巻き戻し可能とする巻取パイプを支持する支持部材と、
前記支持部材を覆うサイドカバーと、を備え、
前記サイドカバーは、前記フィンとは独立して天井面及び壁面に対し非衝突とする範囲で回動又はスライド移動可能に前記支持部材に支持されていることを特徴とするロールスクリーン。
【請求項７】
遮蔽装置に設けられるサイドカバーであって、
当該遮蔽装置の枠体の前後幅より大きい前後幅を有し、天井面及び壁面に対し非衝突とする範囲で、当該遮蔽装置に対し回動又は少なくとも前後方向にスライド移動可能に支持させることを特徴とするサイドカバー。
【請求項８】
遮蔽装置に設けられるサイドカバーであって、
当該遮蔽装置の枠体の前後幅より大きい前後幅を有し、当該遮蔽装置に対し固定係合し、或いは回動又は少なくとも前後方向にスライド移動可能に係合して支持させることを特徴とするサイドカバー。
【請求項９】
遮蔽装置に設けられるサイドカバーであって、
当該遮蔽装置の正面に載置されるフィンの位置規制機能を有することを特徴とするサイドカバー。
【請求項１０】
前記フィンに取着される生地の横ずれ防止機能を更に有することを特徴とする、請求項９に記載のサイドカバー。
【請求項１１】
前記遮蔽装置の後方から突出させて、前記遮蔽装置の後方と壁面との隙間を少なくとも部分的に覆うことが可能な形状を有することを特徴とする、請求項７から１０のいずれか一項に記載のサイドカバー。
【請求項１２】
前記壁面の形状に適合させた段差形状を有することを特徴とする、請求項１１に記載のサイドカバー。
【発明の詳細な説明】
【技術分野】
【０００１】
本発明は、巻取パイプによりスクリーンを巻き取り又は巻き戻してスクリーンを昇降可能とするロールスクリーン、及び遮蔽材の開閉を可能とする遮蔽装置用のサイドカバーに関する。
【背景技術】
【０００２】
従来、遮蔽材の開閉を可能とする遮蔽装置として、ロールスクリーンや横型ブラインド、たくし上げカーテン、プリーツスクリーン等がある。
【０００３】
例えば、ロールスクリーンは、天井面や壁面等の取付面に対してブラケットを介して取着された取付フレームにより支持部材（サイドブラケット）を介して巻取パイプを支持し、スクリーンの上縁部を巻取パイプに取着して垂下させ、巻取パイプによってスクリーンの巻き取り又は巻き戻しを行うことにより室内への採光量を調節可能に構成される。
【０００４】
一般的なロールスクリーンでは、取付フレームの両端に支持部材（サイドブラケット）が固定され、左右両側の支持部材間に円筒状の巻取パイプが回転可能に支持される。
【０００５】
ところで、取付フレームと巻取パイプとの間の隙間を防止するため、巻取パイプの前方にカバー材を配置するよう構成したロールスクリーンが開示されている（例えば、特許文献１参照）。
【先行技術文献】
【特許文献】
【０００６】
【特許文献１】特開２０１６−１９９９８６号公報
【発明の概要】
【発明が解決しようとする課題】
【０００７】
前述したように、特許文献１には、取付フレームと巻取パイプとの間の隙間を防止するため、巻取パイプの前方にカバー材を配置するよう構成したロールスクリーンが開示されている。
【０００８】
しかしながら、より快適性の高い優れた遮蔽装置が求められている。
【０００９】
本発明の目的は、上述の問題に鑑みて、より快適性の高い優れたロールスクリーン、及び遮蔽材の開閉を可能とする遮蔽装置用のサイドカバーを提供することにある。
【課題を解決するための手段】
【００１０】
本発明者らは、上述した事情に鑑みて鋭意検討を行ったところ、サイドカバーに改善の余地があることに気がつき、ロールスクリーン等の遮蔽装置用の新たなサイドカバーを発明した。
【００１１】
本発明による第１態様のロールスクリーンは、スクリーンを昇降可能とするロールスクリーンであって、前記スクリーンを巻き取り、或いは巻き戻し可能とする巻取パイプを支持する支持部材と、前記支持部材を覆うサイドカバーと、を備え、前記サイドカバーの前後幅が、支持部材の前後幅より大きいことを特徴とする。
これにより、より快適性の高い優れたロールスクリーンを構成し、側面からの光漏れを防止する効果を得ることができる。
【００１２】
更に、本発明による第２態様のロールスクリーンは、スクリーンを昇降可能とするロールスクリーンであって、前記スクリーンを巻き取り、或いは巻き戻し可能とする巻取パイプを支持する支持部材と、前記支持部材を覆うサイドカバーと、を備え、前記サイドカバーは、天井面及び壁面に対し非衝突とする範囲で回動又はスライド移動可能に前記支持部材に支持されていることを特徴とする。
これにより、より快適性の高い優れたロールスクリーンを構成し、設置場所の形状に適合させて、好適には設置場所の形状に適合するよう調整可能となり、側面からの光漏れを防止する効果を得ることができる。
【００１３】
また、本発明による第１及び第２態様のロールスクリーンにおいて、前記サイドカバーが、前記支持部材の後縁部より突出させて、前記ロールスクリーンの後方と壁面との隙間を少なくとも部分的に覆うことが可能な形状を有することを特徴とする。
これにより、簡易な構成で設置場所の形状に適合させて、側面からの光漏れを防止する効果を得ることができる。
【００１４】
また、本発明による第１及び第２態様のロールスクリーンにおいて、前記ロールスクリーンの正面にて固定又は可動に設置されるフィンを備え、前記サイドカバーが、当該固定又は所定の可動範囲にあるフィンの側端部を覆う形状を有することを特徴とする。
これにより、フィンの側端部からの光漏れをも防止する効果を得ることができる。
【００１５】
また、本発明による第１及び第２態様のロールスクリーンにおいて、前記フィンは、前記支持部材の範囲外となる前記巻取パイプの前方に位置するよう構成され、前記サイドカバーは、前記巻取パイプと前記所定の支持部材との間の隙間を防止可能に構成されていることを特徴とする。
これにより、支持部材から突出するようなフィンの側端部からの光漏れをも防止する効果を得ることができる。
【００１６】
更に、本発明による第３態様のロールスクリーンは、スクリーンを昇降可能とするロールスクリーンであって、当該ロールスクリーンの正面に載置されるフィンと、前記スクリーンを巻き取り、或いは巻き戻し可能とする巻取パイプを支持する支持部材と、前記支持部材を覆うサイドカバーと、を備え、前記サイドカバーは、前記フィンとは独立して天井面及び壁面に対し非衝突とする範囲で回動又はスライド移動可能に前記支持部材に支持されていることを特徴とする。
これにより、より快適性の高い優れたロールスクリーンを構成し、側面からの光漏れを防止する効果を得るとともに、正面からの光漏れの抑制及び意匠性の向上を図ることができる。
【００１７】
更に、本発明による第１態様のサイドカバーは、当該遮蔽装置の枠体の前後幅より大きい前後幅を有し、遮蔽装置に設けられるサイドカバーであって、天井面及び壁面に対し非衝突とする範囲で、当該遮蔽装置に対し回動又は少なくとも前後方向にスライド移動可能に支持させることを特徴とする。
これにより、より快適性の高い優れた遮蔽装置を構成することができ、設置場所の形状に適合させて、側面からの光漏れを防止する効果を得ることができる。
【００１８】
更に、本発明による第２態様のサイドカバーは、遮蔽装置に設けられるサイドカバーであって、当該遮蔽装置の枠体の前後幅より大きい前後幅を有し、当該遮蔽装置に対し固定係合し、或いは回動又は少なくとも前後方向にスライド移動可能に係合して支持させることを特徴とする。
これにより、より快適性の高い優れた遮蔽装置を構成することができ、設置場所の形状に適合させて、好適には設置場所の形状に適合するよう調整可能となり、側面からの光漏れを防止する効果を得ることができる。
【００１９】
更に、本発明による第３態様のサイドカバーは、遮蔽装置に設けられるサイドカバーであって、当該遮蔽装置の正面に載置されるフィンの位置規制機能を有することを特徴とする。
これにより、より快適性の高い優れた遮蔽装置を構成することができ、正面及び側面からは光漏れを防止する効果を得ることができるとともに、フィンの取付による意匠性及びその品質を向上させることができる。
【００２０】
また、本発明による第３態様のサイドカバーにおいて、前記フィンに取着される生地の横ずれ防止機能を更に有することを特徴とする。
これにより、更に意匠性を向上させ、フィンに取着される生地を安定保持させることができる。
【００２１】
また、本発明による第１乃至３態様のサイドカバーにおいて、前記遮蔽装置の後方から突出させて、前記遮蔽装置の後方と壁面との隙間を少なくとも部分的に覆うことが可能な形状を有することを特徴とする。
これにより、簡易な構成で設置場所の形状に適合させて、側面からの光漏れを防止する効果を得ることができる。
【００２２】
また、本発明による第１乃至３態様のサイドカバーにおいて、前記壁面の形状に適合させた段差形状を有することを特徴とする。
これにより、より確実に設置場所の形状に適合させて、側面からの光漏れを防止する効果を得ることができる。
【発明の効果】
【００２３】
本発明によれば、より快適性の高い優れた遮蔽装置を構成することができる。特に、遮蔽装置の後方と壁面との間における隙間における光漏れを抑制し、尚且つその意匠性を向上させることができる。
【図面の簡単な説明】
【００２４】
【図１】本発明による一実施形態の遮蔽装置としてのロールスクリーンの概略構成を示す正面図である。
【図２】本発明による一実施形態の遮蔽装置としてのロールスクリーンにおけるフィンの構成例を示す側面図である。
【図３】（ａ）,（ｂ）は、それぞれ本発明による一実施形態の遮蔽装置としてのロールスクリーンにおけるフィンの動作を説明する側面図である。
【図４】（ａ），（ｂ），（ｃ）は、それぞれ本発明による一実施形態の遮蔽装置としてのロールスクリーンにおけるフィンの動作例を個別に説明する側面図である。
【図５】（ａ），（ｂ），（ｃ）は、それぞれフィンを別の実施形態の遮蔽装置としてのロールスクリーンに適用した際の構成を示すとともにそのフィンの動作を説明する側面図である。
【図６】（ａ）,（ｂ）は、それぞれ本発明による実施例１のサイドカバーの周辺構成を部分的に示す斜視図と、そのサイドカバーの組み付け位置を示す斜視図である。
【図７】（ａ）,（ｂ）は、それぞれ本発明による実施例２のサイドカバーの周辺構成を部分的に示す斜視図と、そのサイドカバーの組み付け位置を示す斜視図である。
【図８】（ａ）,（ｂ）は、天井面又は壁面に一実施形態の遮蔽装置としてのロールスクリーンを設置した際に生じる当該遮蔽装置の後方と壁面との間の隙間を考慮して設けられる本発明に係るサイドカバーの前後幅に関して、それぞれフィン有り時とフィン無し時における概略的なサイドカバーのサイズ例を示す側面図である。
【図９】（ａ）,（ｂ）は、それぞれ本発明による実施例３のサイドカバーの周辺構成を部分的に示す斜視図と、そのサイドカバーの組み付け位置を示す斜視図である。
【図１０】（ａ）,（ｂ）は、それぞれ本発明による実施例４のサイドカバーの周辺構成を部分的に示す斜視図と、そのサイドカバーの組み付け位置を示す斜視図である。
【図１１】（ａ）,（ｂ）は、それぞれ本発明による実施例５のサイドカバーの周辺構成を部分的に示す斜視図と、そのサイドカバーの組み付け位置を示す斜視図である。
【図１２】（ａ）,（ｂ）は、それぞれ本発明による実施例６のサイドカバーの周辺構成を部分的に示す斜視図と、そのサイドカバーの組み付け位置を示す斜視図である。
【発明を実施するための形態】
【００２５】
以下、図面を参照して、本発明による一実施形態の遮蔽装置としてのロールスクリーン１を説明する。尚、本願明細書中、図１に示すロールスクリーン１の正面図に対して、図示上方及び図示下方をスクリーン４の吊り下げ方向に準じてそれぞれ上方向（又は上側）及び下方向（又は下側）と定義し、図示左方向をロールスクリーン１の左側、及び、図示右方向をロールスクリーン１の右側と定義して説明する。また、以下に説明する例では、図１に示すロールスクリーン１の正面図に対して、視認する側を前側（又は室内側）、その反対側を後側（又は室外側）とする。
【００２６】
（全体構成）
まず、図１を参照して、本発明による一実施形態の遮蔽装置としてのロールスクリーン１の構成を説明する。図１は、本発明に係るロールスクリーン１の概略構成を示す正面図である。
【００２７】
図１に示すロールスクリーン１では、取付フレーム２の両端に支持部材２ａ，２ｂが固定され、その支持部材２ａ，２ｂには軸部材（図示せず）が固定されており、この軸部材から延びる固定軸（図示せず）によって、支持部材２ａ，２ｂ間に円筒状の巻取パイプ３が回転可能に支持される。取付フレーム２は、ブラケット６により天井面又は壁面の取着面に固定される。各支持部材２ａ，２ｂは、それぞれサイドカバー１０ａ，１０ｂ（総括して「サイドカバー１０」と称する）によって覆われ、特に、後述するが側面視した際の意匠性を向上させている。
【００２８】
巻取パイプ３の右端部には操作プーリー（図示せず）が設けられ、この操作プーリーに掛回される無端状の操作コード７が垂下されている。本例では、この操作コード７をボールチェーンで構成し、このボールチェーンが掛回される当該操作プーリーの表面を、そのボールチェーンのボール部に適合する形状の凹凸を有するように構成している。そして、操作コード７の操作により巻取パイプ３を回転操作可能としている。尚、操作コード７を紐状とし、この操作コード７が掛回される当該操作プーリーの表面を高摩擦性の表面形状としてもよい。
【００２９】
巻取パイプ３は、スクリーン４の一端を取着してスクリーン４を巻き取り、又は巻き戻し可能に吊下支持している。スクリーン４の他端は、錘部材として機能するウェイトバー５に取着されている。従って、スクリーン４はウェイトバー５の重量に基づいて張設される。尚、本実施形態の例では、スクリーン４は巻取パイプ３の室外側から垂下されている。
【００３０】
そして、操作コード７を操作して巻取パイプ３をスクリーン巻取り方向へ回転させるとウェイトバー５が上昇し、巻取パイプ３をスクリーン巻戻し方向へ回転させるとウェイトバー５が下降する。
【００３１】
また、本例では、巻取パイプ３内において、その左端側にはスクリーン４の巻上時の操作力を軽減するスプリングモーター、右端側にはスクリーン４の自重降下を防止するストッパー装置等が収容されている（図示せず）。
【００３２】
ここで、本発明に係るロールスクリーン１では、所定の生地１３を容易に取着可能とした構造を有するフィン９が、取付フレーム２の前側（正面側）に取着され、巻取パイプ３と取付フレーム２との間で生じる隙間からの光漏れ等を効果的に遮蔽するようになっている。
【００３３】
（フィンの構成）
図２には、本実施形態のロールスクリーン１における一実施例のフィン９の構成を示している。図２に示すように、取付フレーム２の正面側に設けられている軸受部２０にフィン９の軸部９１が係合しており、これによりフィン９は、取付フレーム２の前側（正面側）で所定の範囲内で回動可能に支持される。
【００３４】
フィン９は、全体として略Ｌ字状の断面形状を有しており、取付フレーム２の前側（正面側）で回動可能に係止される。フィン９は遮光性の高い合成樹脂やアルミニウム等により形成するのが好適であるが、本例のように生地１３を取着する場合には透明又は半透明の合成樹脂とすることもできる。
【００３５】
そして、フィン９の左右方向幅は、取付フレーム２の左右方向幅と略同一の長さを有し、より正確には取付フレーム２の左右方向幅よりもわずかに短い構成となっており、例えばフィン９が合成樹脂で形成されているときに熱膨張等で左右方向幅が変化しても、スムーズに回動可能に係止されるようになっている。
【００３６】
取付フレーム２の正面下方には、その長手方向に延在する略Ｃ字断面形状の軸受部２０が形成されている。この軸受部２０にフィン９の軸部９１が係合しており、これによりフィン９は、取付フレーム２の背面側で回動可能に支持される。取付フレーム２の長手方向の両端部には支持部材２ａ，２ｂが取着されている。
【００３７】
尚、支持部材２ａ，２ｂは、同一形状で構成され、取付フレーム２の軸受部２０の略Ｃ字断面形状とほぼ合致する大きさの切欠き（図示せず）が設けられている。この切欠きは、支持部材２ａ，２ｂを取付フレーム２へ固定した後で、フィン９の軸部９１を左右方向からスライドさせて軸受部２０に挿入して支持可能にするために設けられる。そして、フィン９をスライドさせて取り外し可能とし、このスライド以外は取り外し不可としてフィン９に外力が加わっても取付フレーム２から外れないようになっている。
【００３８】
ただし、本実施形態のロールスクリーン１では、各支持部材２ａ，２ｂは、それぞれサイドカバー１０ａ，１０ｂによって覆われる。このため、サイドカバー１０ａ，１０ｂは、フィン９の回動時にも、フィン９の左右方向のスライドを抑制しフィン９の位置を規制する機能を持つ。
【００３９】
図２に示すように、取付フレーム２の正面下方には、その長手方向に延在する略Ｃ字断面形状の軸受部２０が形成されている。より具体的には、軸受部２０は、取付フレーム２の底部から上方に延びる回動規制片２０ａの先端に折曲軸２０ｆを形成し、フィン９の軸部９１を支持可能にしている。回動規制片２０ａは、フィン９の下方への回動を規制する機能を有する。また、取付フレーム２の背面における軸受部２０の上方には、フィン９の上方への回動を規制する回動規制片２０ｂが形成されている。図示する例では、回動規制片２０ａは取付フレーム２の本体正面から前方に突出する略Ｃ字状で形成され、回動規制片２０ｂは後方に突出する略板状で形成されている。そして、フィン９の軸部９１が軸受部２０に係止されている状態では、フィン９の上下方向への回動が規制され、フィン９をどのように回動させても背面方向へ軸受部２０から外れないようになっている。
【００４０】
フィン９は、その概略構成として、先端に略Ｃ字状の軸部９１を有し取付フレーム２の前側面から前方へ所定長さで屈曲して突出する支持板部９３と、この支持板部９３から下方へ所定長さで延びる遮蔽板部９４とにより、全体として略Ｌ字状の断面形状を有し、スクリーン４（或いは後述するウェイトバー５）との干渉による衝突力や接触音を回避又は緩和するよう複曲面形状の部材（本例では単一部材だが、複合部材でもよい）で形成されている。
【００４１】
より具体的には、支持板部９３は概ね略Ｌ字状に屈曲した形状を有し、その先端に略Ｃ字状の軸部９１が形成されている。軸部９１は軸受部２０における折曲軸２０ｆによって回動可能に係止される部位である。軸部９１の先端は鋭角に屈折した略鉤形状で形成され、軸受部２０に対して空間的余裕を持たせた状態で係合させることで、フィン９が軸受部２０から外れにくくするとともに、フィン９の回動自由度を高めている。
【００４２】
一方、このように回動自由度を高めた態様でフィン９の軸部９１を軸受部２０に係止させると、フィン９と回動規制片２０ｂの回動干渉により不快な干渉音（接触音）を生じさせることから、軸部９１には、厚みを変化させ回動範囲で肉厚を持たせた曲部９２を形成している。
【００４３】
また、支持板部９３の先端に設けられる軸部９１の付け根近傍には、当接部９７が形成されている。当接部９７は、詳細は後述するが回動規制片２０ｂと当接することで、フィン９の上方への回動を規制する部位である。
【００４４】
このような軸部９１の形状とすることで、フィン９が軸受部２０から外れにくくするとともに、ガタツキを抑制してその干渉音を軽減させつつフィン９の回動を許容するものとなっている。これにより、当接部９７と回動規制片２０ｂとの回動干渉に起因する不快な干渉音（接触音）も無視できるほど軽減させることができる。
【００４５】
また、支持板部９３の先端に設けられている軸部９１の下方には、突起部９８が形成されており、突起部９８は軸部９１と並んで支持板部９３から突出している。突起部９８は、詳細は後述するが、取付フレーム２における軸受部２０の回動規制片２０ａと当接する位置でフィン９の下方への回動を規制する部位である。特に、突起部９８の先端は図示するように凹凸段差を持つ形状で構成され、回動規制片２０ａとの当接時の接触音や衝突力を緩和するよう作用する機能を持たせている。尚、本例の突起部９８は支持板部９３の左右方向へ延在して突出するよう形成されているが、支持板部９３の左右方向へ部分的に突出する形態でもよい。
【００４６】
そして、この支持板部９３から下方へ延びる遮蔽板部９４の下端には、曲面形状の干渉緩和部９５が形成されている。干渉緩和部９５は、スクリーン４（或いは後述する実施形態ではウェイトバー５）との接触が有るときでも、その接触音や衝突力を緩和するようスクリーン４（又はウェイトバー５）から遠ざかる方向に反り返る形状を有する。
【００４７】
また、遮蔽板部９４の前面上端及び下端には、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に位置する爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００４８】
図３（ａ），（ｂ）は、本実施形態のロールスクリーン１における一実施例のフィン９の動作を説明する側面図であり、特に、図３（ａ）にはフィン９の下側回動規制に関して、図３（ｂ）にはフィン９の上側回動規制に関して図示している。
【００４９】
図３（ａ）に示すように、支持板部９３の先端に設けられている軸部９１の下方には、突起部９８が形成されており、突起部９８は軸部９１と並んで支持板部９３から突出している。フィン９は、軸部９１により軸受部２０における折曲軸２０ｆによって回動可能に係止される。フィン９に設けられる突起部９８は、取付フレーム２における軸受部２０の回動規制片２０ａと当接する位置でフィン９の下方への回動を規制する機能を有する。このとき、フィン９は、その基本姿勢として、フィン９の遮蔽板部９４の長手方向が取付フレーム２の前後方向に対しほぼ垂直（鉛直方向への垂下）になるように規制されている。このように、フィン９をロールスクリーン１の取付フレーム２に取り付けたときの基本姿勢としてフィン９の遮蔽板部９４の長手方向が取付フレーム２の前後方向に対しほぼ垂直（鉛直方向への垂下）となるため、その意匠性を向上させている。
【００５０】
また、図３（ｂ）に示すように、フィン９に設けられる軸部９１の付け根近傍には、当接部９７が形成されている。当接部９７は、当該基本姿勢からフィン９が回動した際に回動規制片２０ｂと当接することでフィン９の上方への回動を規制する部位である。これにより、フィン９がブラケット６やその取付面に対し非当接となるようになっている。このように、フィン９をロールスクリーン１の取付フレーム２に取り付けた場合の操作性を損なうことなく、その品質を維持することができる。
【００５１】
そして、フィン９には、遮蔽板部９４の前面上端及び下端に、それぞれ略鉤断面形状で突出する突起片９６ａ，９６ｂが設けられ、生地１３の上端及び下端を係合させる凹部を形成している。特に、遮蔽板部９４の前面上端には、突起片９６ａの内側に爪部９９が形成されており、突起片９６ａ及び爪部９９は生地押さえとして機能する掴持手段として構成される。一方、遮蔽板部９４の前面下端における突起片９６ｂは、生地１３のバタツキを抑えるための部位であり、バタツキを抑制且つ圧接しない凹部が形成される。
【００５２】
このように、フィン９は、生地１３の上端のみを係着させる構造とすることで、生地１３に撓みを生じさせることなく容易に取り付けることができる。
【００５３】
図４（ａ），（ｂ），（ｃ）は、それぞれ本実施形態のロールスクリーン１における一実施例のフィン９の動作例を個別に説明する側面図である。
【００５４】
図４（ａ）に示すように、本実施例のフィン９は、取付フレーム２の前側面から前方へ長さａで屈曲して突出する支持板部９３と、支持板部９３から下方へ長さｂで延びる遮蔽板部９４とにより、全体として略Ｌ字状の断面形状を有している。
【００５５】
遮蔽板部９４の長さｂは、取付フレーム２と巻取パイプ３との間の隙間から生じる光漏れを防ぐ長さで形成されている。支持板部９３の長さａは、操作コード７の操作に悪影響を与えない範囲に設定されている。仮に、本実施例のフィン９に操作コード７が接触するように操作する場合でも、フィン９は回動するため操作負担を生じさせないようになっている。
【００５６】
また、図４（ｂ）に示すように、本実施例のフィン９を、スクリーン４の最大巻取径Ｓが比較的小さいロールスクリーン１に適用する場合では、スクリーン４とフィン９とが接触することが無く、その基本姿勢として、フィン９の遮蔽板部９４の長手方向が取付フレーム２の前後方向に対しほぼ垂直な状態（鉛直方向への垂下となる状態）を維持しつつ遮光機能を保持できる。
【００５７】
一方、図４（ｃ）に示すように、本実施例のフィン９を、スクリーン４の最大巻取径Ｓが比較的大きいロールスクリーン１に適用する場合では、スクリーン４とフィン９とが接触する場合でも、スクリーン４の巻太りに倣ってフィン９を回動させることができ、その遮光機能を保持できる。
【００５８】
また、図５（ａ），（ｂ），（ｃ）には、フィン９を別の実施形態のロールスクリーン１に適用した際の構成を示している。
【００５９】
図５（ａ）に示す例では、本実施例のフィン９側に巻取パイプ３からスクリーン４を垂下し、フィン９と巻取パイプ３との間にウェイトバー５が位置する例である。このような場合、本実施例のフィン９には、支持板部９３から下方へ延びる遮蔽板部９４の下端に曲面形状の干渉緩和部９５が形成されているため、ウェイトバー５との干渉で引っ掛かりを生じることがない。
【００６０】
また、図５（ｂ）に示すように、ウェイトバー５の上限位置が取付フレーム２へ当接する位置に設定されている場合でも、フィン９における干渉緩和部９５から遮蔽板部９４にかけてウェイトバー５がスムーズに移動してフィン９が回動するため、その操作性を損ねることが無い。また、図３（ｂ）を参照して説明したように、フィン９に設けられる軸部９１の付け根近傍には、当接部９７が形成されており、当接部９７は、当該基本姿勢からフィン９が回動した際に回動規制片２０ｂと当接することでフィン９の上方への回動を規制している。これにより、フィン９がブラケット６やその取付面に対し非当接となり、ウェイトバー５の衝突でフィン９が破損するおそれもない。従って、フィン９をロールスクリーン１の取付フレーム２に取り付けた場合の操作性を損なうことなく、その品質を維持することができる。
【００６１】
また、図５（ｃ）に示すように、フィン９の遮蔽板部９４の長手方向が取付フレーム２の前後方向に対しほぼ垂直な状態（鉛直方向への垂下となる状態）となる基本姿勢を常に維持させたい場合には、操作コード７上に取着した移動制限部材１２の位置を調整することで、この移動制限部材１２により操作プーリー８等に当接させてその回転を停止させ、ウェイトバー５の上限位置を定めることができる。これにより、フィン９がブラケット６やその取付面に対し非当接となり、ウェイトバー５の衝突でフィン９が破損するおそれもない。そして、常時、フィン９の遮蔽板部９４の長手方向が取付フレーム２の前後方向に対しほぼ垂直な状態（鉛直方向への垂下となる状態）となる基本姿勢を維持させることができ、その意匠性及び品質を維持することができる。
【００６２】
従って、フィン９は、種々のロールスクリーン１の取付フレーム２に取り付けることが可能であり、尚且つその操作性や品質、或いは意匠性に悪影響を及ぼすことが無いものとなっている。
【００６３】
また、このようなフィン９は、ロールスクリーン以外にも枠体の下方の遮光性や遮風性を高める用途に利用できる。また、フィン９に生地１３を取着することで、正面視の意匠性をより向上させることができる。
【００６４】
ただし、フィン９の設置でロールスクリーン１の正面視の意匠性を向上させることができても、側面視した場合、フィン９があることで却って側面視の意匠性を損なう結果となることがある。また、フィン９に生地１３を取着する場合にも、物流時や操作時、或いは経時的な理由等でその生地ずれが生じ意匠性を損なうことがあり、この生地ずれを抑制する必要がある。
【００６５】
そこで、本発明に遮蔽装置として構成されるロールスクリーン１では、図１に示すように、フィン９の右側に位置する支持部材２ａにはサイドカバー１０ａを設け、フィン９の左側に位置する支持部材２ｂにはサイドカバー１０ｂを設けることとしている。サイドカバー１０ａとサイドカバー１０ｂは、互いに対称形状をしているが同一構造であることから、区別する必要が無いときは総括してサイドカバー１０と称する。
【００６６】
ここで、サイドカバー１０は、上述したフィン９の機能を損なうことなく、むしろ向上させ、尚且つ側方からの光漏れを抑制し、更には側面視した場合の意匠性を向上させるよう構成されている。
【００６７】
以下、図面を参照して各実施例のサイドカバー１０を順に説明する。
【００６８】
（実施例１のサイドカバー）
図６（ａ）,（ｂ）は、それぞれ本発明による実施例１のサイドカバー１０ａの周辺構成を部分的に示す斜視図と、そのサイドカバー１０ａの組み付け位置を示す斜視図である。
【００６９】
まず、図６（ａ）に示すように、実施例１のサイドカバー１０は、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０とが連なる形状を有している。
【００７０】
そして、図６（ｂ）に示すように、実施例１のサイドカバー１０は、部位１２０のみが支持部材２ａの側面と係合して固定され、部位１１０はフィン９や支持部材２ａとは係合しないものとなっている。
【００７１】
このため、図６（ａ）に示す外観は、図６（ｂ）にて理解されるように、サイドカバー１０（１０ａ）が無いときを想定したきの外観と比較して、側面視した際の意匠性が著しく向上する。また、フィン９と支持部材２ａ（又は２ｂ）や巻取パイプ３との間の側方の隙間から生じる光漏れを抑制することができる。
【００７２】
また、実施例１のサイドカバー１０は、フィン９の回動を妨げることがなく、フィン９の回動時にも、フィン９の左右方向のスライドを抑制しフィン９の位置を規制する機能を持つ。また、実施例１のサイドカバー１０は、フィン９に生地１３が取着されるときに、その生地１３の横ずれを防止する機能を持つようになる。
【００７３】
（実施例２のサイドカバー）
図７（ａ）,（ｂ）は、それぞれ本発明による実施例２のサイドカバー１０ａの周辺構成を部分的に示す斜視図と、そのサイドカバー１０ａの組み付け位置を示す斜視図である。尚、同様な構成要素には同一の参照番号を付している。
【００７４】
図７に示す実施例２のサイドカバー１０についても、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０とが連なる形状を有している。そして、図７（ｂ）に示すように、部位１２０のみが支持部材２ａの側面と係合して固定され、部位１１０はフィン９や支持部材２ａとは係合しないものとなっている。
【００７５】
ただし、図７に示す実施例２のサイドカバー１０では、フィン９が当該基本姿勢から所定の回動角度θａで回動した場合でも、部位１１０がフィン９の側端部を覆うことができるようにしている。このフィン９の回動角度θａは、上述した基本姿勢からの最大回動角度をθとすると、フィン９の実用上の回動角度とすればよい（０＜θａ≦θ）。
【００７６】
従って、実施例２のサイドカバー１０は、図６に示す実施例１の利点を全て包含している。そして、実施例２のサイドカバー１０では、フィン９が当該基本姿勢から所定の回動角度θａで回動した場合でも、部位１１０がフィン９の側端部を覆うことができるため、フィン９と支持部材２ａ（又は２ｂ）や巻取パイプ３との間の側方の隙間から生じる光漏れを、より抑制させることができる。
【００７７】
ところで、遮蔽装置として構成されるロールスクリーン１の前方に、フィン９を設けるか否かに関わらず、当該遮蔽装置を天井面又は壁面に固定すると、その遮蔽装置の後方と壁面との間に隙間ができる。特に、ロールスクリーン１の場合では、スクリーン４の巻太りを考量して設置されるため、ロールスクリーン１の後方と壁面との間に隙間ができる。このため、その隙間からも光漏れが生じるのを抑制し、その隙間に関する側面視の意匠性を更に向上させることが望ましい。
【００７８】
即ち、図８（ａ）に示すように、天井面又は壁面に一実施形態の遮蔽装置としてのロールスクリーン１を設置した際に、フィン９の側端部を覆うだけでなく、その遮蔽装置の後方と壁面との間の隙間をも考慮して、遮蔽装置の枠体（本例では、取付フレーム２やサイドカバー１０）の前後幅ｗ２を支持部材２ａ（又は２ｂ)の前後幅ｗ１よりも大きくすることが好ましい。
【００７９】
また、フィン９を設けていない遮蔽装置についても、図８（ｂ）に示すように、天井面又は壁面に一実施形態の遮蔽装置としてのロールスクリーン１を設置した際に、その遮蔽装置の後方と壁面との間の隙間をも考慮して、遮蔽装置の枠体（本例では、取付フレーム２やサイドカバー１０）の前後幅ｗ２を支持部材２ａ（又は２ｂ)の前後幅ｗ１よりも大きくすることが好ましい。
【００８０】
尚、遮蔽装置の後方の壁面Ｗから窓枠ＷＦが突出しているような場合に、その窓枠ＷＦを避け、できる限りサイドカバー１０の後縁部を壁面Ｗに対し近付けて、遮蔽装置を設置することが好ましいが、その窓枠ＷＦを避けることができないときは、図８（ａ），（ｂ）に示すように、できる限りサイドカバー１０の後縁部を窓枠ＷＦに対し近付けて遮蔽装置を設置することが好ましい。
【００８１】
そこで、以下の各実施例のサイドカバー１０では、代表例としてフィン９を有するロールスクリーン１を天井面又は壁面に設置した際に、フィン９の側端部を覆うだけでなく、その遮蔽装置の後方と壁面との間の隙間をも考慮した形状例又は構造例を、より具体的に説明する。特に、代表して、ロールスクリーン１の設置が窓枠ＷＦを避けることができないときを例に説明する。
【００８２】
（実施例３のサイドカバー）
図９（ａ）,（ｂ）は、それぞれ本発明による実施例３のサイドカバー１０ａの周辺構成を部分的に示す斜視図と、そのサイドカバー１０ａの組み付け位置を示す斜視図である。
【００８３】
まず、図９（ａ）に示すように、実施例３のサイドカバー１０は、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０と、支持部材２ａ（又は２ｂ）の後縁部から突出させる部位１３０が連なる形状を有している。
【００８４】
そして、図９（ｂ）に示すように、実施例３のサイドカバー１０は、部位１２０のみが支持部材２ａの側面と係合して固定され、部位１１０はフィン９や支持部材２ａとは係合せず、更に部位１３０も支持部材２ａとは係合しないものとなっている。
【００８５】
実施例３のサイドカバー１０を有するロールスクリーン１は、図９（ａ）に示すように、できる限りサイドカバー１０の後縁部を壁面Ｗの窓枠ＷＦに対し近付けて、天井面及び壁面Ｗに対し非衝突とする範囲で設置することができる。
【００８６】
このため、図９（ａ）に示す外観は、図９（ｂ）にて理解されるように、サイドカバー１０（１０ａ）が無いときを想定したきの外観と比較して、側面視した際の意匠性が著しく向上する。また、フィン９と支持部材２ａ（又は２ｂ）や巻取パイプ３との間の側方の隙間から生じる光漏れを抑制し、尚且つロールスクリーン１の後方からの光漏れを抑制することができる。
【００８７】
また、実施例３のサイドカバー１０は、実施例１，２と同様に、フィン９の回動を妨げることがなく、フィン９の回動時にも、フィン９の左右方向のスライドを抑制しフィン９の位置を規制する機能を持つ。また、実施例３のサイドカバー１０は、フィン９に生地１３が取着されるときに、実施例１，２と同様に、その生地１３の横ずれを防止する機能を持つようになる。
【００８８】
（実施例４のサイドカバー）
図１０（ａ）,（ｂ）は、それぞれ本発明による実施例４のサイドカバー１０ａの周辺構成を部分的に示す斜視図と、そのサイドカバー１０ａの組み付け位置を示す斜視図である。
【００８９】
まず、図１０（ａ）に示すように、実施例４のサイドカバー１０は、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０と、支持部材２ａ（又は２ｂ）の後縁部から突出させる部位１３０が連なる形状を有し、この部位１３０には窓枠ＷＦを避けるための切欠き１３０ａが形成されている。
【００９０】
そして、図１０（ｂ）に示すように、実施例４のサイドカバー１０は、実施例３と同様に、部位１２０のみが支持部材２ａの側面と係合して固定され、部位１１０はフィン９や支持部材２ａとは係合せず、更に部位１３０も支持部材２ａとは係合しないものとなっている。
【００９１】
ただし、実施例４のサイドカバー１０は、壁面Ｗから窓枠ＷＦが突出しているときなど壁面の形状に適合させた段差形状を有する。即ち、図示する例における実施例４のサイドカバー１０は、窓枠ＷＦを切欠き１３０ａで避けることができるため、実施例４のサイドカバー１０を有するロールスクリーン１は、図１０（ａ）に示すように、実施例３の場合よりも、サイドカバー１０の後縁部を壁面Ｗに対し近付けることができる。
【００９２】
このため、図９（ａ）に示す外観は、図９（ｂ）にて理解されるように、サイドカバー１０（１０ａ）が無いときを想定したきの外観と比較して、側面視した際の意匠性が著しく向上する。また、フィン９と支持部材２ａ（又は２ｂ）や巻取パイプ３との間の側方の隙間から生じる光漏れを抑制し、尚且つ実施例３の場合と比較してロールスクリーン１の後方からの光漏れをより一層抑制することができる。
【００９３】
また、実施例４のサイドカバー１０は、実施例１乃至３と同様に、フィン９の回動を妨げることがなく、フィン９の回動時にも、フィン９の左右方向のスライドを抑制しフィン９の位置を規制する機能を持つ。また、実施例４のサイドカバー１０は、フィン９に生地１３が取着されるときに、実施例１乃至３と同様に、その生地１３の横ずれを防止する機能を持つようになる。
【００９４】
（実施例５のサイドカバー）
図１１（ａ）,（ｂ）は、それぞれ本発明による実施例５のサイドカバー１０ａの周辺構成を部分的に示す斜視図と、そのサイドカバー１０ａの組み付け位置を示す斜視図である。
【００９５】
まず、図１１（ａ）に示すように、実施例５のサイドカバー１０は、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０と、支持部材２ａ（又は２ｂ）の後縁部から突出させる部位１３０が連なる形状を有し、支持部材２ａ（又は２ｂ）に対しスライド移動によって相対移動可能となっている。
【００９６】
本例では、図１０（ｂ）に示すように、実施例５のサイドカバー１０における部位１２０には、支持部材２ａ（又は２ｂ）の側面との対向面に、スライド片１２１が突出しており、スライド片１２１の先端部には丸軸１２１ａが形成されている。
【００９７】
一方、支持部材２ａ（又は２ｂ）の側面には、前後方向に延びるスライド溝２１が形成されており、このスライド溝２１に、実施例５のサイドカバー１０におけるスライド片１２１が挿通される。スライド片１２１の先端部における丸軸１２１ａは弾性変形してスライド溝２１に貫通されることで、実施例５のサイドカバー１０は支持部材２ａ（又は２ｂ）の側面に対し抜け止めされ、前後方向にスライド移動によって相対移動可能となる。
【００９８】
尚、このようなスライド溝２１及びスライド片１２１を一組とする場合に限らず、複数組のスライド溝２１及びスライド片１２１で構成することもできる。
【００９９】
従って、実施例５のサイドカバー１０では、部位１２０のスライド片１２１が支持部材２ａの側面と相対移動可能に係合支持され、部位１１０はフィン９や支持部材２ａとは係合せず、更に部位１３０も支持部材２ａとは係合しないものとなっている。
【０１００】
これにより、実施例５のサイドカバー１０を有するロールスクリーン１は、図１１（ａ）に示すように、窓枠ＷＦに沿ったサイドカバー１０のスライド移動により設置自由度を高めることができ、サイドカバー１０の後縁部を壁面Ｗに対し調整可能に近付けることができる。また、サイドカバー１０のスライド移動を可能とすることで、実施例５のサイドカバー１０の全体形状の自由度を高めることができる。
【０１０１】
このため、図１１（ａ）に示す外観は、図１１（ｂ）にて理解されるように、サイドカバー１０（１０ａ）が無いときを想定したきの外観と比較して、側面視した際の意匠性が著しく向上する。また、フィン９と支持部材２ａ（又は２ｂ）や巻取パイプ３との間の側方の隙間から生じる光漏れを抑制し、尚且つロールスクリーン１の後方からの光漏れをより一層抑制することができる。
【０１０２】
また、実施例５のサイドカバー１０は、実施例１乃至４と同様に、フィン９の回動を妨げることがなく、フィン９の回動時にも、フィン９の左右方向のスライドを抑制しフィン９の位置を規制する機能を持つ。また、実施例５のサイドカバー１０は、フィン９に生地１３が取着されるときに、実施例１乃至４と同様に、その生地１３の横ずれを防止する機能を持つようになる。
【０１０３】
ところで、図１１に示す例では、支持部材２ａ（又は２ｂ）に対して相対的に前後方向にスライド移動可能にサイドカバー１０を設ける例を説明したが、サイドカバー１０を少なくとも前後方向にスライド移動可能とすればよく、上下方向を加味した前後・上下の斜め方向のスライド移動可能にする構成とすることもできる。また、サイドカバー１０を直線状にスライド移動させる場合に限らず、曲線状にスライド移動可能にする構成とすることもできる。
【０１０４】
（実施例６のサイドカバー）
図１２（ａ）,（ｂ）は、それぞれ本発明による実施例６のサイドカバー１０ａの周辺構成を部分的に示す斜視図と、そのサイドカバー１０ａの組み付け位置を示す斜視図である。
【０１０５】
まず、図１２（ａ）に示すように、実施例６のサイドカバー１０は、基本姿勢時のフィン９の側端部を覆う略平板状の部位１１０と、支持部材２ａ（又は２ｂ）の側面の全部（ただし支持部材２ａ（又は２ｂ）の一部が露出してもよい）を覆う部位１２０と、支持部材２ａ（又は２ｂ）の後縁部から突出させる部位１３０が連なる形状を有し、支持部材２ａ（又は２ｂ）に対し相対回動可能となっている。
【０１０６】
本例では、図１２（ｂ）に示すように、実施例６のサイドカバー１０における部位１２０には、支持部材２ａ（又は２ｂ）の側面との対向面に、円柱状の支持軸１２２が突出しており、支持軸１２２の先端部には丸軸１２２ａが形成されている。
【０１０７】
一方、支持部材２ａ（又は２ｂ）の側面には、丸孔状の軸孔２２が形成されており、この軸孔２２に、実施例６のサイドカバー１０における支持軸１２２が挿通される。支持軸１２２の先端部における丸軸１２２ａは弾性変形して軸孔２２に貫通されることで、実施例６のサイドカバー１０は支持部材２ａ（又は２ｂ）の側面に対し抜け止めされ、相対回動可能となる。
【０１０８】
尚、このような軸孔２２及び支持軸１２２を設けるのみとする場合に限らず、回動範囲を規制する案内溝（図示せず）を支持部材２ａ（又は２ｂ）の側面に更に設け、その案内溝と係合する案内軸（図示せず）を支持軸１２２と同様の形状で並行してサイドカバー１０に設けてもよい。更に、軸孔２２を支持部材２ａ（又は２ｂ）の側面に複数設けて、サイドカバー１０を軸支する位置を調節可能な構成とすることもできる。
【０１０９】
従って、実施例６のサイドカバー１０では、部位１２０の支持軸１２２が支持部材２ａに対し相対回動可能に係合支持され、部位１１０はフィン９や支持部材２ａとは係合せず、更に部位１３０も支持部材２ａとは係合しないものとなっている。
【０１１０】
これにより、実施例６のサイドカバー１０を有するロールスクリーン１は、図１２（ａ）に示すように、窓枠ＷＦに沿ったサイドカバー１０の相対回動により設置自由度を高めることができ、サイドカバー１０の後縁部を壁面Ｗに対し近付けることができる。また、サイドカバー１０のスライド移動を可能とすることで、実施例６のサイドカバー１０の全体形状の自由度を高めることができる。
【０１１１】
このため、図１２（ａ）に示す外観は、図１２（ｂ）にて理解されるように、サイドカバー１０（１０ａ）が無いときを想定したきの外観と比較して、側面視した際の意匠性が著しく向上する。また、フィン９と支持部材２ａ（又は２ｂ）や巻取パイプ３との間の側方の隙間から生じる光漏れを抑制し、尚且つロールスクリーン１の後方からの光漏れをより一層抑制することができる。
【０１１２】
また、実施例６のサイドカバー１０は、実施例１乃至５と同様に、フィン９の回動を妨げることがなく、フィン９の回動時にも、フィン９の左右方向のスライドを抑制しフィン９の位置を規制する機能を持つ。また、実施例６のサイドカバー１０は、フィン９に生地１３が取着されるときに、実施例１乃至５と同様に、その生地１３の横ずれを防止する機能を持つようになる。
【０１１３】
ところで、図１２に示す例では、支持部材２ａ（又は２ｂ）の丸孔状の軸孔２２に対しサイドカバー１０の支持軸１２２を支持させて相対回動可能とする例を説明したが、支持部材２ａ（又は２ｂ）の軸孔２２を丸孔状とする代わりに、例えば前後方向に延びる波状の軸孔とし、図１２（ａ）に示したような相対回動と、前述した実施例５の図１１（ａ）に示したような前後方向の相対移動とを併用可能とする構成とすることができる。
【０１１４】
上述した実施例３乃至６のサイドカバー１０では、フィン９が有る場合（（図８（ａ）参照）を例に代表して説明したが、フィン９が無い場合（図８（ｂ）参照）には、部位１１０の形成が必ずしも必要ではなくなるものの同様に構成することができる。
【０１１５】
以上、特定の実施形態及び実施例を挙げて本発明を説明したが、本発明は前述の実施形態の例に限定されるものではなく、その技術思想を逸脱しない範囲で種々変形可能である。特に、各実施例のサイドカバー１０は、フィン９の側端部を概ね覆うものであればよく、フィン９が基本姿勢にあるときに支持部材２ａ（又は２ｂ）を完全に覆う形状とすることができるだけでなく、支持部材２ａ（又は２ｂ）の下方一部が露出する形状としてもよく、その場合でも、その意匠性の向上、光漏れの抑制、及びフィン９の機能性は保たれる。
【０１１６】
また、各実施例のサイドカバー１０は、適宜組み合わせて新たな実施例とすることができる。例えば、実施例５又は６のサイドカバー１０に対し、図１０に示すような切欠き１３０ａを設けた新たな実施例の構成とすることができる。
【０１１７】
また、各実施例のサイドカバー１０に係わるフィン９の軸部９１の形状・構造や、係止する方法はその一例を説明したにすぎず、例えばフィン９の軸部９１を丸軸等で形成してもよいし、フィン９の軸部９１を、例えばロールスクリーンであれば、枠体としての取付フレーム２に支持するではなく支持部材２ａ，２ｂに支持する構成とすることもできる。
【０１１８】
また、フィン９は、枠体に対し回動可能とする構成とする以外にも回動不能に固定するものでもよい。更に、フィン９は、枠体に対し回動する形態に限らず、枠体に対しスライドする形態など、任意の可動形態とすることもできる。
【０１１９】
また、ロールスクリーンに限らず、横型ブラインド、たくし上げカーテン、プリーツスクリーン等の遮蔽装置に対し（フィン９が有るときはその側端部に対し）、本発明に係るサイドカバー１０を適用することができる。
【産業上の利用可能性】
【０１２０】
本発明によれば、側面からの光漏れを抑制し、尚且つ側面視の意匠性を向上させることができるので、ロールスクリーン等の遮蔽装置の用途に有用である。
【符号の説明】
【０１２１】
１  ロールスクリーン
２  取付フレーム
２ａ，２ｂ  支持部材
３  巻取パイプ
４  スクリーン
５  ウェイトバー
９  フィン
１０  サイドカバー
２０  軸受部
２０ａ，２０ｂ  回動規制片
２１  支持部材のスライド溝
２２  支持部材の軸孔
９１  フィンの軸部
９２  フィンの曲部
９３  フィンの支持板部
９４  フィンの遮蔽板部
９５  フィンの干渉緩和部
１１０，１２０，１３０  サイドカバーの部位
１２１  サイドカバーのスライド片
１２２  サイドカバーの支持軸
【図１】
2018150693.tif 000003
【図２】
2018150693.tif 000004
【図３】
2018150693.tif 000005
【図４】
2018150693.tif 000006
【図５】
2018150693.tif 000007
【図６】
2018150693.tif 000008
【図７】
2018150693.tif 000009
【図８】
2018150693.tif 000010
【図９】
2018150693.tif 000011
【図１０】
2018150693.tif 000012
【図１１】
2018150693.tif 000013
【図１２】
2018150693.tif 000014